(57)【要約】  本発明は、自動車のドアまたはフラップ用閉鎖システムに関し、閉鎖されるドアまたはフラップを固定する為のロック機構を備え、ロック機構を始動させる作動ユニットの為に回転要素（１）が設けられ、ロック機構は、ロック要素（２）と閉鎖システムを備え、閉鎖システムは、回転要素（１）の回転運動中、ロック要素（２）および回転要素（１）が、回転要素（１）を停止させるように互いに当接することができ、バネ要素（４）に当接部が設けられる。また、本発明は、自動車のドアまたはフラップ用閉鎖システムに関し、可動構成要素と、可動構成要素の運動を制限する当接部（１０）とを用いて、閉鎖されるドアまたはフラップを固定する為のロック機構を備え、当接部（１０）は、バネ要素（４）と、バネ要素（４）のバネ動程の為のリミッタ（７）とを備える。それにより、例えば、ウォームホィールおよび作動ユニットのような構成要素の正確かつ低ノイズの位置決めを可能にすることができる。【選択図】  図２
2021511456.tif 000002
【特許請求の範囲】
【請求項１】
自動車のドアまたはフラップ用閉鎖システムにおいて、
閉鎖されるドアまたはフラップを固定する為のロック機構を備え、前記ロック機構を始動する為の作動ユニットの為に回転要素（１）が設けられ、前記ロック機構は、ロック要素（２）を含み、前記閉鎖システムは、前記回転要素（１）の回転運動（３）中、前記ロック要素（２）および前記回転要素（１）が前記回転要素（１）を停止させる為に互いに当接することができるように構成され、前記当接の為にバネ要素（４）が設けられることを特徴とする、閉鎖システム。
【請求項２】
前記バネ要素（４）は、帯状および／または湾曲したストリップの形状を有することを特徴とする、請求項１に記載の閉鎖システム。
【請求項３】
前記バネ要素（４）は、板バネであることを特徴とする、請求項１〜２のいずれか一項に記載の閉鎖システム。
【請求項４】
前記バネ要素（４）は、Ｕ字形状に湾曲され、更に／又は、２つの脚部（５，６）を有することを特徴とする、請求項１〜３いずれか一項に記載の閉鎖システム。
【請求項５】
前記バネ要素（４）は、前記ロック要素（２）に組み込まれ、さらに／または、前記ロック要素（２）に組み込まれる脚部（６）を有する、ことを特徴とする、請求項１〜４のいずれか一項に記載の閉鎖システム。
【請求項６】
前記２つの脚部（５，６）のうち一つは、自由脚部（６）であり、さらに／または、前記バネ要素（４）の前記２つの脚部（５，６）は、鋭角を囲むことを特徴とする、請求項１〜５のいずれか一項に記載の閉鎖システム。
【請求項７】
前記自由脚部（６）の偏向を制限する為に、前記自由脚部（６）の為のリミッタ（７）が設けられることを特徴とする、請求項６に記載の閉鎖システム。
【請求項８】
前記リミッタ（７）は、前記２つの脚部（５，６）の間にあり、さらに／または、前記バネ要素（４）の開始位置では、隙間によって前記自由脚部（６）から離間されていることを特徴とする、請求項７に記載の閉鎖システム。
【請求項９】
前記リミッタ（７）は、前記バネ要素（４）とは異なる材料で作られていることを特徴とする、請求項１〜８のいずれか一項に記載の閉鎖システム。
【請求項１０】
前記当接中、前記バネ要素（４）および前記回転要素（１）が互いに当接できるように、前記ロック要素（２）が前記バネ要素（４）を含むことを特徴とする、請求項１〜９のいずれか一項に記載の閉鎖システム。
【請求項１１】
前記ロック機構は、キャッチ部（９）および爪部（１１）を含み、前記ロック機構の閉鎖状態におけるラチェット位置で前記キャッチ部をラッチすることを特徴とする、請求項１〜１０のいずれか一項に記載の閉鎖システム。
【請求項１２】
前記ロック要素（２）は、解除レバー（１２）、ブロックレバー（１３）、および／または爪部（１１）をリフトアウト位置で保持する為のアキュムレータレバーであることを特徴とする、請求項１０〜１１のいずれか一項に記載の閉鎖システム。
【請求項１３】
前記回転要素（１）は、前記バネ要素（４）に抗して当接する為、および／または、前記解除レバー（１２）を旋回させる為の突出部（１４）を有することを特徴とする、請求項１〜１２のいずれか一項に記載の閉鎖システム。
【請求項１４】
前記回転要素（１）は、ウォームホィールであり、さらに／または、前記閉鎖システムは、ウォームギア及び／又は電気モータを備えた作動ユニットであることを特徴とする、請求項１〜１３のいずれか一項に記載の閉鎖システム。
【請求項１５】
自動車のドアまたはフラップ用閉鎖システムにおいて、
可動構成要素、特に、回転要素（１）と、前記可動構成要素の運動を制限する為の当接部（１０）とを用いて、閉鎖されるドアまたはフラップを固定する為のロック機構を備え、前記当接部（１０）は、バネ要素（４）を含み、前記当接部（１０）は、前記バネ要素（４）のバネ動程の為のリミッタ（７）を含む、閉鎖システム。
【発明の詳細な説明】
【技術分野】
【０００１】
本発明は、閉じられるドアまたはフラップを固定する為のロック機構を備えた、自動車のドアまたはフラップ用閉鎖システムに関する。
【０００２】
ロック機構を自動的に開放する為の駆動装置は、そのような閉鎖システムによく設けられる。ロック機構の閉鎖状態において、たとえば、車両本体のロックボルトは、通常、ロック機構のキャッチ部によって保持され、キャッチ部は、爪部によって保持される。次に、ウォームホィールなどの構成要素が電動手段によって移動され、たとえば、解除レバーまたは結合レバーを旋回させるためにロック機構を開放し、これによって、爪部をキャッチ部とのラッチから解除する。その後、キャッチ部は、開放方向に回転することができ、ロックボルトを解除する。ロック機構の開放状態において、次の閉鎖操作が不必要に損なわれるように爪部が旋回して戻らないために、たとえば、爪部をリフトアウト位置で直接または間接的に保持する為にアキュムレータレバーを設けることができる。次の閉鎖操作中、収容されたロックボルトのため、キャッチ部は、意図されたようにラチェット位置に回転し、そこで、爪部とラッチするので、ロック機構は閉鎖位置をとる。
【０００３】
駆動装置によって移動される構成要素が、再現可能な方式でロック機構を自動的に開放する為の運動を一貫して続けるため、通常、移動した構成要素の終了位置を検出するマイクロスイッチが設けられ、終了位置に到達すると、駆動装置は自動的にスイッチが切られる。何もマイクロスイッチが設けられていない場合、代わりに当接部が使用されるが、これは、望ましくないノイズレベルと、比較的に不正確な終了位置をもたらす可能性がある。
【０００４】
DE102009020488A1, WO2001/002677A2, DE102014114347A1, DE102005027734A1, DE102010007205A1を参照。
【０００５】
従来技術から知られている上記特徴は、個別に又は任意の所定の組み合わせで、以下に説明する本発明による主題および実施形態の一つに組み合わせることができる。
【発明の概要】
【０００６】
本発明は、自動車のドア又はフラップの為の改良された閉鎖システムを提供することを目的とする。
【０００７】
主な請求項および他の独立請求項による閉鎖システムは、この目的を達成する為に使用される。有利な実施形態は、従属請求項から生じる。
【０００８】
この目的は、自動車のドアまたはフラップの為の閉鎖システムであって、閉鎖されるドア又はフラップを固定する為のロック機構と、ロック機構を始動する為の作動ユニット用に設けられる回転要素とを備える、閉鎖システムによって達成される。ロック機構は、ロック要素を含み、閉鎖システムは、回転要素の回転運動中、ロック要素および回転要素が、回転要素を停止させる為に互いに当接するように構成されてもよい。バネ要素は、当接の為に設けられる。
【０００９】
ロック要素を始動することは、ロック機構の解除、特に、キャッチ部と爪部とをラッチしてロックボルトを解除することを意味する。
【００１０】
ロック要素と回転要素とが互いに当接するとき、基本的に２つの当接表面が当たる。通常、当接表面の一方が静止しており、他方の当接表面が移動し、静止している当接表面に衝突する。
【００１１】
したがって、当接の為に設けられるバネ要素は、当接表面を提供し、この当接表面が、当接中に他の当接表面に当たる（即ち、機械的な力の相互作用を伴って直接接触を作り出す）。
【００１２】
当接の為にバネ要素を設けることにより、回転要素の回転運動の、特に低ノイズの停止を達成することができる。当接表面の、特に低摩耗も達成することができる。さらに、規定された位置での回転要素の特に正確な停止は、たとえば、マイクロスイッチを必要とせずに、特に有利な方法で可能になり、したがって、それを省くことができる。
【００１３】
作動要素は、好ましくは、特に電気モータを備えた駆動装置を有し、自動的にロック機構を開放することができる。駆動装置は、特に、ウォームホィールを備えたウォームギヤを含むのが好ましい。
【００１４】
一設計において、回転要素はウォームホィールである。
【００１５】
ロック機構が閉鎖した状態において、爪部は、キャッチ部が、たとえば、車両本体のロックボルトを収容した後、ラチェット位置でキャッチ部とラッチされるのが好ましい。ここで、特に回転運動を実行する為の駆動装置によって回転要素が駆動されると、ロック機構を開放する為の回転要素は、解除レバー又は結合レバーを旋回させ、これにより、キャッチ部とのラッチから爪部を再び解除することができる。解除レバー又は結合レバーの旋回のために、回転要素は、特に、軸方向に延びる突出部を有する。爪部によって解除されたキャッチ部は、開放の方向に回転することができ、ロックボルトを解除し、ドア又はフラップを開放することができる。
【００１６】
ロック機構が開放された状態で、次の閉鎖操作が望ましくないほど損なわれないように爪部が旋回して戻らない為に、たとえば、アキュムレータレバーが設けられ、リフトアウト位置で爪部を直接的または間接的に保持する。次の閉鎖操作中、収容されたロックボルトによるキャッチ部は、意図されたようにラチェット位置に回転し、爪部とラッチするので、ロック機構は閉鎖状態をとる。
【００１７】
一設計において、作動ユニットは、中央ロックシステムの一部でもよい。したがって、閉鎖システムは、中央ロックシステム、特に、電子制御ユニットを用いて設計することができる。この場合、中央ロックレバーは、中央ロックレバーがロック位置にあるときに操作レバーまたは外部操作ハンドルの動作によってアイドル行程が生じるように設計されてもよい。
【００１８】
一実施形態において、バネ要素は帯状であり、さらに／または、湾曲したストリップ、特に、」長手方向拡張部で湾曲したストリップ形状を有する。したがって、平坦な当接表面を特に簡単な方式で提供することができ、当接中の衝突力を均一に分散させることができる。
【００１９】
ストリップまたは帯状バネ要素の場合、厚さは、幅と長さに比べて小さくなる。特に、長さは幅よりも長くなっている。たとえば、幅は、厚さの少なくとも８分の１に対応し、さらに／または、長さは、幅の少なくとも３倍または４倍に対応する。これは、たとえば、埋め込まれていない、または、成形されていない自由長に基づくことが好ましい。曲がっていない状態のストリップまたは帯状のバネ要素は、特に、長方形であり、さらに／または突出部または凹みがない。一設計において、バネ要素は、たとえば、長手方向の拡張部に対して直角に剪断されている帯のストリップ部分にすぎない。バネ要素を製造するため、ストリップ部分を曲げることができる。したがって、長手方向拡張部は、直線から逸脱するように意図されてもよく、たとえば、湾曲した形状で続いてもよい。バネ要素は、好ましくは、板金、鋼またはバネストリップでできている。特に、バネ要素は平坦なコイルバネである。
【００２０】
一実施形態において、バネ要素は板バネである。したがって、閉鎖システムは、特に低レベルの製造労力を用いて設けることができる。
【００２１】
一実施形態において、バネ要素は、Ｕ字状に曲げられ、さらに／または２つの脚部を有する。Ｕ字形状により、他の当接表面との平坦な当接の為の平坦な当接表面を特に確実な方法で設けることができ、Ｕ字形状によって設けられる当接表面は、当接表面に対して、ほぼ垂直な弾性反発力を有することができる。このようにして、当接中の、特に均一な緩衝が可能になる。同時に、２つの脚部の間のバネ行程の為のリミッタは、同様に、大きく偏向する脚部の平坦かつ均一な収容を同様に可能にし、特に簡単な方式で形成または設けることができる。特に、２つの脚部は、細長い、特にストリップ形状のバネ要素の２つの、相対して位置する細長い端部である。
【００２２】
一実施形態において、バネ要素は、ロック要素に組み込まれ、さらに／または、ロック要素に組み込まれる脚部を有する。したがって、バネ要素は、特に信頼性の良い方式で、当接の為に設けられてもよい。一設計において、組み込まれた脚部は、たとえば、射出成形によるロック要素またはその一部分の製造範囲内の押し出しコーティングによって、完全にロック要素に組み込まれるのが好ましい。代替または追加で、組み込まれた脚部を備えたバネ要素は、たとえば、クランプ又は接着により、ロック要素に隣接または埋め込まれてもよい。
【００２３】
一実施形態において、２つの脚部のうちの一つの脚部は自由脚部であり、さらに／または、バネ要素の２つの脚部は、鋭角を囲む。
【００２４】
自由脚部により、ロック要素と回転要素が相互に当接したとき、特に弾性的かつ均一な衝撃の緩衝が可能になる。一設計において、自由脚部は、当接の為に当接表面を提供する。
【００２５】
２つの脚部間の鋭角は、別の当接表面との当接の瞬間に自由脚部によって設けられる当接表面が他の当接表面に平行または少なくともほぼ平行であるように、自由脚部の整列を可能にする。同時に、バネ行程が制限された弾力性が達成されてもよい。鋭角は、組み込まれた脚部の特に深い組み込みを可能にするので、衝撃力は、たとえば、特に信頼できる方式で、ロック要素によって吸収される。
【００２６】
一実施形態において、自由脚部の偏向を制限するために、自由脚部の為にリミッタが設けられる。したがって、特に簡単な方式で、自由脚部が弾性範囲を超えて偏向し、バネ要素が塑性変形する状況を避けることができる。
【００２７】
一設計において、閉鎖システムは、バネ要素がそのような方法で設計されるように、特に非常に硬く、ロック要素と回転要素とが回転運動中に互いに当接するとき、回転要素を停止させるため、自由脚部がリミッタに接触しないように構成される。これにより、特に弾性があり、特に摩耗の少ない、低ノイズの停止が可能になる。ロック機構を開放する為の回転運動は一般に常に同一方法で行われるため、特に駆動装置が使用されるとき、好ましくは電気モータが使用されるため、自由脚部には常に同様に負荷がかかり、当接中に偏向される。したがって、回転要素の、特に正確な停止を可能にすることができる。
【００２８】
バネ要素の偏向は、バネ要素または自由脚部の開始位置からの動きを意味し、バネ要素または自由脚部には負荷がかかっておらず、静止状態では機械的平衡状態にある。
【００２９】
特に、回転要素は自動ロックギアによって駆動され、さらに／または、自動ギアの組み込まれた一部である。自動ロックのため、当接によって偏向されるバネ要素は、回転要素を反対方向に回転させることができない。バネ要素の偏向によって発生されるバネの予張力に関係なく、自動ロックギアは、原則として、駆動装置側に移動または回転して戻すことができない。したがって、バネ要素は偏向位置に残る。偏向位置は、当接中にバネ要素に作用する力に依存する。この力が大きいほど、偏向は大きくなる。この力が小さいほど、偏向は小さくなる。
【００３０】
特に、歯車は、回転要素が一方向にのみ回転できるように構成、即ち、操作中の逆回転はできない。
【００３１】
一実施形態において、回転要素は、ウォームホィールであり、さらに／または、閉鎖システムは、ウォームギアおよび／または電気モータを備えた作動ユニットを含む。上記自動ロック効果は、ウォームホィールまたはウォームギアを介して、特に簡単な方式で可能にすることができる。
【００３２】
一設計において、閉鎖システムは、バネ要素が特に弾性的に設計されるように構成され、自由脚部がリミッタに接触するか、または、回転要素を停止させるため、回転要素の回転運動中にロック要素と回転要素とが相互に当接したときに、意図したようにリミッタに当接する。したがって、回転要素の、特に正確かつ再現可能な停止を可能にすることができる。停止位置は、リミッタの配置により、特に簡単かつ信頼性の良い方式で決定することができる。開始位置からリミッタまでの弾性反発力により、特に低ノイズの停止が可能である。
【００３３】
最初に述べた目的を達成するための本発明の更なる態様は、自動車ドアまたはフラップの為の閉鎖システムに関し、可動構成要素、特に、回転要素と、運動（特に、可動構成要素の回転運動）を制限する為の当接部とを備えた、閉鎖されるドアまたはフラップを固定する為のロック機構を備え、当接部は、バネ要素とバネ要素のバネ行程の為のリミッタとを含む。したがって、回転要素の、特に正確かつ再現可能な停止を可能することができる。前述および以下の実施形態ならび本書に開示された特徴は、本発明の、この態様および、最初に説明された本発明の態様に関する。
【００３４】
一実施形態において、リミッタは、２つの脚部間に位置し、さらに／または、バネ要素の開始位置では、隙間によって自由脚部から離間されている。頑丈でコンパクトな設計は、２つの脚部間にリミッタを配置することによって可能になる。この隙間により、バネ要素は過渡に偏向することなく、衝撃力を弾性的に吸収することができる。隙間の隙間幅は、好ましくは、バネ要素の厚さとほぼ同一またはそれより大きく、さらに／または、最大で、バネ要素の厚さの３倍または５倍である。
【００３５】
一実施形態において、リミッタは、バネ要素とは異なる材料で作られる。したがって、衝突中のノイズは、特に効果的な方式で避けることができる。特に、リミッタは、プラスチックで作られ、さらに／または、バネ要素は金属で作られる。
【００３６】
一実施形態において、ロック要素は、バネ要素を含むので、当接中に、バネ要素および回転要素は互いに当接することができる。したがって、当接の前に、バネ要素は回転運動の影響を受けず、開始位置では、特に信頼できる方式で当接の為に利用可能である。
【００３７】
一実施形態において、ロック機構は、キャッチ部と、ロック機構の閉鎖状態におけるラチェット位置において、キャッチ部をラッチする為の爪部とを含む。したがって、閉鎖されたドアまたはフラップの、特に信頼性の良い固定が可能になる。キャッチ部は、一般に、ロックボルトを収容する為に使用され、爪部は、ラチェット位置のキャッチ部をラッチする為に、ロック機構の閉鎖状態において、収容されたロックボルトを用いてキャッチ部を保持する為に使用される。原則的に、ロック機構は、ロック機構が使用者によって意図されたように操作されるとき、爪部は、キャッチ部から解除されるので、キャッチ部は再びロックボルトを解除するように構成されている。特に、解除レバーおよび／または操作レバーは、ロック機構を始動する為に設けられている。使用者によって内側又は外側から操作可能な操作レバーは、ロッドアセンブリ、ボーデンケーブル、および／または作動ユニットを介して解除レバーを旋回させることができる。ロック機構を操作する為に、解除レバーは、ロック機構の閉鎖状態における、それらのラチェット位置から、ブロックレバーおよび／または爪部を解除することができる。
【００３８】
閉鎖システムは、ロック機構を含む、特に自動車用ラッチを含む。自動車用ラッチは、金属製ラッチプレートまたはラッチプレートを備えた金属製ラッチケースを含むことが好ましく、ロック機構は、キャッチ部および爪部と共に、ラッチプレートまたはラッチケース内に装着される。ラッチプレートは、通常、入口スロットを有し、この入口スロットを通じて、ロックボルトがラッチに入り、ロック機構の回転可能に装着されたキャッチ部によって収容され、キャッチ部を用いて爪部をラッチすることによって保持される。ロックボルトが車両本体に装着され、ラッチプレートまたはラッチケースがドアまたはフラップに装着されるか、ラッチプレートまたはラッチケースが車体に装着され、ロックボルトがドアまたはフラップに装着される。自動車用ラッチのキャッチ部は、通常、ロードアームおよびキャッチアームを有し、これらは、共にキャッチ部のフォーク状受容スロットを形成し、ドア又はフラップが閉じられるとき、特に、ラッチプレートの入口スロットを通過するとき、この中にロックボルトが入る。その後、ロックボルトは、閉鎖位置の方向に、キャッチ部を開放位置から回転させる。キャッチ部が閉鎖位置に到達すると、キャッチ部は、爪部を介して、この位置でラッチされる。
【００３９】
ロックボルトは、最早、キャッチ部の受容スロットを離れることができない。このラチェット位置は、メインラチェット位置と呼ばれる。一設計において、ロック機構は、第２のラッチ位置、すなわち、いわゆるプリラチェット位置を有する。キャッチ部は、その後、２つの閉鎖位置、キャッチ部のプリラチェット位置およびメインラチェット位置をとってもよい。プリラチェット位置は、ドアまたはフラップが閉鎖中にメインラチェット位置に到達しないとき、安全な理由の為にドアまたはフラップをキャッチする為に使用される。その結果、プリラチェット位置において、キャッチ部は、完全に閉鎖せず、爪部によるキャッチ部の開放運動は、既に防止されている。
【００４０】
メインラチェット位置において、キャッチ部、したがって、ロック機構は完全に閉鎖される。したがって、プリラチェット位置は、キャッチ部のメインラチェット位置における開放位置と閉鎖位置との間の移行状態を表す。
【００４１】
メインラチェット位置またはプリラチェット位置における爪部によるキャッチ部のラッチは、メインラチェット位置またはプリラチェット位置でキャッチ部を保持するために、メインラチェット位置またはプリラチェット位置で互いに当接する、対応したメインラチェットラッチ表面またはプリラチェットラッチ表面を介して一般的に行われる。
【００４２】
一設計において、ロック機構は、メインラチェット位置で爪部を保持する為に、爪部に加えてブロックレバーを有し、一般に、自動車のドアを閉鎖するとき、バックグランドノイズが減少され、ロック機構を始動、即ち、解除または開放する為に必要な操作力が減少される。すなわち、この型式のロック機構において、キャッチ部および爪部間の相対位置は、開放方向にキャッチ部が爪部に作用する力が爪部に開放トルクを誘発するように、基本的に設計され、これが、キャッチ部を固定する代わりにキャッチ部の解除を容易にする。したがって、ブロックレバーは、キャッチ部を用いてラッチ位置で爪部を固定する為に使用される。たとえば、キャッチ部によって爪部に作用する開放方向の力は、ドアまたはフラップのゴム製シールを圧縮することによって発生される。メインラチェット位置の閉鎖位置において、この場合、開放トルクは、爪部に連続して作用する。ロック機構を始動させるために、それは、ブロックレバーおよび爪部の間の固定を解除するのに十分なので、爪部は、キャッチ部を解除し、ロック機構は開放される。したがって、特に低い力を加えることでラッチを開放することができる。
【００４３】
一実施形態において、ロック機構は、解除レバー、結合レバー、ブロックレバーおよび／または爪部をリフトアウト位置で保持する為のアキュムレータレバーである。したがって、アキュムレータレバーは、２つの機能を達成する。リフトアウト位置において、爪部はキャッチ部とラッチすることができず、ブロックレバーは爪部をブロックできず、解除レバーはロック機構を始動させることができない。
【００４４】
一実施形態において、回転要素は、バネ要素に抗して当接する為に、および／または、解除レバーを旋回させる為に、突出部を有する。したがって、突出部は、２つの機能を達成する。一設計において、突出部は、リブ、カム、リンク、セットバック付きブリッジである。一設計において、突出部は、バネ要素に対する当接の為の減衰要素を有し、さらに／または、この減衰要素は、プラスチックで作られる。したがって、当接中のノイズは、更に減少され得る。
【００４５】
以下、図面を参照して、本発明の例示的実施形態を詳細に説明するが、例示的実施形態の特徴は、特許請求の範囲で請求される手段と、単一または複数で組み合わせることができる。これらの保護範囲は、例示的な実施形態に限定されるものではない。
【図面の簡単な説明】
【００４６】
【図１】図１は、当接部の為のバネ要素を備えたロック要素の概略図を示す。
【図２】図２は、特に図１からのバネ要素を備えたロック要素を含む、閉鎖システムのロック機構の概略図を示す。
【発明の詳細な説明】
【００４７】
図１は、ロック要素２を示し、ここで、バネ要素４は、特に、基本構成要素またはロック要素２を製造する為の鋳造または射出成形処理中の組み込みによって、ロック要素２の基本構成要素１６に組み込まれる。バネ要素４は帯状になっており、Ｕ字状に湾曲したストリップの形態を有し、その自由脚部６および組み込まれた脚部５は、互いに鋭角を形成する。２つの脚部５，６の間には、基本構成要素１６の隆起部分であるリミッタ７が設けられている。無負荷状態において、自由脚部６またはバネ要素４の開始位置で、空隙または隙間８は、リミッタ７を自由脚部６から分離する。隙間を区切るリミッタ７の表面は、開始位置にある自由脚部６の反対側の脚部の表面に対して平行に又は僅かな角度で平らに延び、リミッタ７の上記反対側の表面と自由脚部６の表面の両方は、自由脚部６が対応する偏向の為に十分な応力で作用されるとき、互いに平らに衝突する。自由脚部６およびリミッタ７を備えたロック要素２の領域は、ロック要素２の当接部１０を形成する。一つの設計において、当接部用のバネ要素４および／または自由脚部６に与えられる負荷の方向は、自由脚部６の当接面１７に対して垂直またはほぼ垂直である。リミッタ７に向いて隙間８を区切る脚部表面は、自由脚部６の当接面１７に対して平行に延びる。特に、操作中、可動構成要素、特に、図２に図示されるような回転要素１と自由脚部６の当接面１７との相互当接が、開始位置において、バネ要素４の当接面１７に対して、好ましくは本質的に垂直に起こる。
【００４８】
ロック要素２は、好ましくは、たとえば、図２に示されるようなロック機構の為のアキュムレータレバーである。ロック要素２は、アキュムレータレバー機能を実行するための保持装置１８を有する。特に、保持装置１８は、図２に例示された結合レバーまたは解除レバー１２をリフトアウト位置（即ち、非作動状態）に直接保持、特に支持する為に使用される。特に、保持装置１８は、図２に例示されたブロックレバー１３および／または爪部１１をリフトアウト位置に間接的に保持、特に支持する為に使用される。保持装置１８は、好ましくは保持アームであり、好ましくは、保持または支持されるロック機構の構成要素の対応する形状の組み合う外形を確実に保持する為の受容外形を有する。特に、受容外形は、特に丸みを帯びた肩部である。その中にピンを確実に保持または支持することができる。
【００４９】
ロック要素２も、特に細長い脚部の形状で相互作用外形部１９を有する。その脚部は、好ましくは傾斜したブリッジを有するのが好ましく、ブリッジは、たとえば、異なる回転面で可動構成要素と相互作用することができるように、軸方向では、基本構成要素１６の残りの大部分よりも厚くなっている。一設計では、相互作用外形部１９は、図２に例示されるように、ロック機構のキャッチ部９と相互作用することができる。
【００５０】
ロック要素２は、軸方向に延びる旋回軸受用開口部２０を有する。そのため、ロック要素２は、旋回軸受用開口部２０の軸を中心として回転するように装着されてもよい。旋回軸受用開口部２０は、回転面で見たとき、基本構成要素１６の、特に中央にある。特に、当接部１０，保持装置１８，相互作用外形部１９は、三角形を形成し、旋回軸受用開口部２０は、この三角形の、特に本質的に中央にある。一設計では、バネ要素４および／または自由脚部６に与えられる負荷方向は、旋回軸受用開口部２０の軸に対する径方向当接の為にある。
【００５１】
明確にするため、一部の構成要素は省略されているが、図２は、開放状態の閉鎖装置のロック機構を示す。ロック要素２の当接部１０は、見えるが、保持装置１８はほとんど隠されており、相互作用外形部１９は部分的に隠されている。ロック機構はハウジング２３内にあり、キャッチ部９、爪部１１，結合レバー又は解除レバー１２、ブロックレバー１３，および／またはロック要素のような回転可能なロック機構の構成要素は、ハウジング２３のラッチプレート上に回転できるように装着されている。
【００５２】
キャッチ部９は、開放位置に示されている。開放状態の爪部１１，爪部１１の為のブロックレバー１３，ブロックレバー１３の為の結合レバー又は解除レバー１２は、リフトアウト位置でロック要素２によって保持または支持されるので、上記構成要素のいずれもキャッチ部９に接触しない。このため、保持装置１８は、結合レバー又は解除レバー１２の軸方向突出ピンを支持し、キャッチ部９からの距離で、示されたリフトアウト位置で結合レバー又は解除レバー１２を保持する。結合レバー又は解除レバー１２の軸方向に延びたピン２１によって、結合レバー又は解除レバー１２は、示されたリフトアウト位置にブロックレバー１３を保持する。同様に、爪部１１も、特に、結合レバー又は解除レバー１２によって、示されたリフトアウト位置に保持される。
【００５３】
また、閉鎖装置は、回転要素１を含み、回転要素は、特に、図示されていない回転運動３の方向、特に、反時計廻りの方向に、電動駆動装置によって回転されてもよい。回転要素１は、特に、ウォームギアである。回転要素１は、作動ユニットの一部であるが、作動ユニットは、特に、上記の駆動装置と共に詳細には示されていない。回転要素１は、軸方向突出部１４を有し、軸方向突出部１４は、以下に詳細に検討される制御外形部２２を形成する。同時に、突出部１４は、ロック要素２のバネ要素４に抗して当接する為に使用される。任意に、図示のように、バネ要素４の自由脚部６と突出部１４との当接を減衰する為に減衰要素１５が設けられてもよい。減衰要素１５は、形態嵌合方式で突出部１４に連結されてもよく、たとえば、突出部１４の当接表面を形成するように組み込まれてもよい。あるいは、突出部１４の当接表面は、図２に示されていない突出部１４の側壁によって設けられてもよい。ロック機構の開放状態において、突出部１４の当接表面は、自由脚部６に当接してもよい。ロック要素は、その後、（図２に示されるように）当接位置にある。特に、ロック機構の開放状態において、バネ要素４は、その後、偏向された位置にあり、特に、運動することなく、可動構成要素または回転要素１，即ち、その当接表面を押し付ける。
【００５４】
ロック機構の、示された開放状態から始めて、以下に説明するように、閉鎖操作が行われる。キャッチ部９は、ロックボルト（図示せず）によって、そのラチェット位置の方向（図２の反時計廻りの方向）に回転される。回転により、キャッチ部９の軸方向に延びる（図２に隠れている）ピンは、相互作用外径部１９に当たるので、その当接位置から（図２の反時計廻りの方向に）ロック要素２又はアキュムレータレバーを旋回させる。その結果、保持装置１８は、結合レバー又は解除レバー１２から解除される。特に弾性力のため、結合レバー又は解除レバー１２は、キャッチ部９の方向に旋回するので、リフトアウト位置からの逸脱が行われる。爪部１１およびブロックレバー１３も同様に、それらのリフトアウト位置を離れる。ラチェット位置に到達するまで、爪部１１は、回転するキャッチ部９に沿って擦れる。そのため、ブロックレバー１３は、非ブロック位置で爪部１１と当接する。キャッチ部９が閉鎖位置またはラチェット位置に到達すると、爪部１１は、キャッチ部９まで下がり、キャッチ部とラッチする。ブロックレバー１３は、爪部の下がる運動に従動し、そのラチェット位置で、爪部１１をブロックする為にブロック位置に落ちる。これで、ロック機構は閉鎖状態になる。
【００５５】
ロック機構を開放するために、回転要素１が、（図２の反時計廻り方向に）回転運動を実行するように駆動される。ロック要素２は、その当接位置から旋回することから、回転要素１は妨げられずに回転することができ、突出部１４の制御外形部２２は、解除レバー１２を変位させるか、ロック機構を始動させる為に旋回させる。このため、解除レバー１２は、そのブロック位置からブロックレバー１３を旋回させる。したがって、爪部１１は、キャッチ部９から解除されてもよい。キャッチ部９は、解除されて、開放位置へと回転する。キャッチ部９のピンが相互作用外形部１９を通過した後、ロック要素２は、特に、回転要素１の当接表面が自由脚部６の当接表面１７を通過する前に、キャッチ部９の方向で当接位置に旋回して戻る。このように、当接部１０により、回転要素１は、相互当接部によって規定された位置で、正確かつ低ノイズで保持され得る。図２に示されるように、ロック要素は再び開放状態になる。
【００５６】
【符合の説明】
【００５７】
1…回転要素、2…ロック要素、3…回転運動、4…バネ要素、5…組み込まれた脚部、6…自由脚部、7…リミッタ、8…隙間、9…キャッチ部、10…当接部、11…爪部、12…解除レバー、13…ブロックレバー、14…突出部、15…減衰要素、16…基本構成要素、17…当接面、18…保持装置、19…相互作用外形部、20…旋回軸受用開口部、21…ピン、22…制御外形部、23…ハウジング。
【図１】
2021511456.tif 000003
【図２】
2021511456.tif 000004
【国際調査報告】
2021511456.tif 000005
2021511456.tif 000006
2021511456.tif 000007
2021511456.tif 000008